(57)【要約】【課題】電気機器の動作に伴うＶＯＣの発生を調べるには、電気機器に電力や制御信号を供給する必要がある。電力や制御信号を供給するためには化学物質測定チャンバーに孔を開ける必要があるが、単に孔を開けた場合、この孔から大気が流入し、測定精度が低下するという課題がある。また、テフロン（登録商標）テープを巻きつけ、ケーブルとの間の気密性を確保する方法では、テープの巻き方により機密性の良否が発生し、再現性の高い測定を行うことが困難となる課題がある。【解決手段】ＰＦＡを用いてなるフィルムバック１１と、フィルムバック１１内部にジェル状物質を用いた変形体１２が充填されるケーブルサポート１０８を介して電力や制御信号を供給するケーブル１０６を通す。ケーブルサポート１０８を変形させることで化学物質測定チャンバーとケーブル１０６との間の間隙を塞ぎ、密閉する。【選択図】図２
2008309500.tif 000002
【特許請求の範囲】
【請求項１】
測定対象の電気機器を収容する化学物質測定チャンバーと、
前記電気機器を収容・取り出しするための開閉部と、
前記化学物質測定チャンバー内の雰囲気を調節する制御装置と、
前記化学物質測定チャンバー内の揮発性有機化合物を捕集するための捕集装置と、
前記電気機器と繋がるケーブルを前記化学物質測定チャンバー外に導くためのケーブル通過孔と、
前記ケーブル通過孔と前記ケーブルの間に配置されるケーブルサポートと、
を含み、
前記ケーブルサポートは、フィルムバックと、前記フィルムバック内に充填される変形体とを（構成要素として）含むことを特徴とする化学物質測定装置。
【請求項２】
請求項１に記載の化学物質測定装置であって、前記ケーブルサポートと、前記ケーブルサポートと比べて変形能が低いサポート支持部と、により支えられるサポート器具を有し、前記サポート器具を介して前記ケーブルサポートが前記ケーブル通過孔に、はめ込まれていることを特徴とする化学物質測定装置。
【請求項３】
請求項１又は２に記載の化学物質測定装置であって、前記フィルムバックは、前記化学物質測定チャンバー内に配置される領域の、最表面の少なくとも一部にフッ素系樹脂又はフッ素系ゴムを含むことを特徴とする化学物質測定装置。
【請求項４】
請求項１又は２に記載の化学物質測定装置であって、前記フッ素系樹脂は、ポリテトラフルオロエチレン、テトラフルオロエチレン−パーフルオロアルキルビニルエーテル共重合体、テトラフルオロエチレン−ヘキサフルオロプロピレン共重合体、テトラフルオロエチレン−エチレン共重合体、ポリクロロトリフルオロエチレン、クロロトリフルオロエチレン−エチレン共重合体、ポリビニリデンフルオライド及びポリビニリデンフルオライドの少なくとも一種類を含むことを特徴とする化学物質測定装置。
【請求項５】
請求項１〜３のいずれか一項に記載の化学物質測定装置であって、前記フッ素系ゴムは、フッ化ビニリデンゴム、四フッ化エチレン−プロピレンゴム、四フッ化エチレン−パーフルオロメチルビニルエーテルゴムの少なくとも一種類を含むことを特徴とする化学物質測定装置。
【請求項６】
請求項２又は３に記載の化学物質測定装置であって、前記サポート支持部を構成する、又は被覆する物質は金属であることを特徴とする化学物質測定装置。
【請求項７】
請求項６に記載の化学物質測定装置であって、前記金属は、ステンレス、アルミニウム、銅、クロム、錫、亜鉛、金の少なくとも一種類が前記サポート支持部の表面に配置されることを特徴とする化学物質測定装置。
【発明の詳細な説明】
【技術分野】
【０００１】
本発明は、揮発性有機化合物（Ｖｏｌａｔｉｌｅ  Ｏｒｇａｎｉｃ  Ｃｏｍｐｏｕｎｄ、以下、「ＶＯＣ」という）を捕集した後、定性定量分析するための装置に関する。より詳細には、電気機器より放散されるＶＯＣを正確に捕集し、定性定量分析するための装置としての化学物質測定装置に関するものである。
【背景技術】
【０００２】
電気機器を構成する構成材料にはプラスチックや接着剤などの化学物質が使われている。複写機やプリンターなどの事務機器について見ると、製品構成の中にプラスチックや接着剤以外に、トナーや紙などが使用される。電気機器の稼動時にはこれらの構成材料からＶＯＣが室内に放出される。
【０００３】
ここで、ＶＯＣとは一般的には沸点が５０〜２６０℃（ＷＨＯ基準による）の物質の総称であり、脂肪族炭化水素、芳香族炭化水素、アルデヒド、ケトン類などが含まれる。一般的に良く知られているＶＯＣの具体例としては、トルエン、ベンズアルデヒド、ｎ−酢酸ブチル、エチルベンゼンなどがある。
【０００４】
上述した電気機器からのＶＯＣの発生を評価する１つの方法として、チャンバー法が知られている。これは密閉されたチャンバー内に電気機器を配置し、脱ガスを吸着させた後分析してＶＯＣの種類、量を測定するものである。
【０００５】
従来、例えば特許文献１に記載されているように、家具や壁材などの建築材料などの静止した状態の製品については、建材材料より揮発するＶＯＣを吸着剤に回収した後、これらの成分や濃度を検出、測定するための提案がなされている。
【０００６】
【特許文献１】特開２００２−１２２５２１号公報
【発明の開示】
【発明が解決しようとする課題】
【０００７】
電気機器の動作に伴うＶＯＣの発生を調べるには、電気機器に電力や制御信号などを供給する必要がある。電力や制御信号などを供給するためにはチャンバーに孔を開ける必要があるが、単に孔を開けた場合、この孔から大気が流入し、測定精度が低下するという課題がある。また、この孔をコーキング材などで封入すると、コーキング材から発生するＶＯＣにより測定精度が低下するという課題がある。また、テフロン（登録商標）テープを巻きつけ、気密性を確保する方法では、テープの巻き方により機密性の良否が発生し、再現性の高い測定を行うことが困難となる課題がある。
【課題を解決するための手段】
【０００８】
本発明は、上述の課題の少なくとも一部を解決するためになされたものであり以下の形態又は適用例として実現することが可能である。なお、「ケーブルサポート」とは、化学物質測定チャンバー内に配置された電気機器のケーブルを、化学物質測定チャンバー外に引き出す際に、化学物質測定チャンバーの気密性が低下しないように化学物質測定チャンバーのケーブル通過孔に挿入するものである。
【０００９】
［適用例１］本適用例にかかる化学物質測定装置は、測定対象の電気機器を収容する化学物質測定チャンバーと、前記電気機器を収容・取り出しするための開閉部と、前記化学物質測定チャンバー内の雰囲気を調節する制御装置と、前記化学物質測定チャンバー内の揮発性有機化合物を捕集するための捕集装置と、前記電気機器と繋がるケーブルを前記化学物質測定チャンバー外に導くためのケーブル通過孔と、前記ケーブル通過孔と前記ケーブルの間に配置されるケーブルサポートと、を含み、前記ケーブルサポートは、フィルムバックと、前記フィルムバック内に充填される変形体とを（構成要素として）含むことをことを特徴とする。
【００１０】
この適用例によれば、変形可能なプラスチックフィルム内にプラスチックフィルムとの反応が抑えられた変形体を封入してなるケーブルサポートが用いられている。そのため、ケーブルとの間隙をこのケーブルサポートの変形により埋めることができる。よって、化学物質測定チャンバー内への大気の流入を抑制することが可能となり、チャンバー法による化学物質の測定を、従来の方法と比べて、高い精度を持って行うことができる。
【００１１】
［適用例２］上記適用例にかかる化学物質測定装置は、前記ケーブルサポートと、前記ケーブルサポートと比べて変形能が低いサポート支持部と、により支えられるサポート器具を有し、前記サポート器具を介して前記ケーブルサポートが前記ケーブル通過孔に、はめ込まれていることを特徴とする。
【００１２】
この適用例によれば、ケーブルサポートはケーブルサポートと比べて変形能が低いサポート支持部により支えられる。サポート支持部を介して、ケーブルサポートに圧力を掛けることで、ケーブルとケーブルサポートとの間に掛かる圧力の均一性を向上させることができる。そのため、ケーブルとケーブルサポートとの間に掛かる圧力が不均一になることで生ずるケーブルとケーブルサポートとの間の間隙の発生を抑制することができる。
【００１３】
［適用例３］上記適用例にかかる化学物質測定装置は、前記フィルムバックは、前記化学物質測定チャンバー内に配置される領域の、最表面の少なくとも一部にフッ素系樹脂又はフッ素系ゴムを含むことを特徴とする。
【００１４】
この適用例によれば、フィルムバックの、化学物質測定チャンバー内に配置される領域の最表面に位置する少なくとも一部の領域は上記したフッ素系樹脂又はフッ素系ゴムで構成される。フッ素系樹脂及びフッ素系ゴムはＶＯＣの放出量が小さいため、フィルムバックから発生するＶＯＣによる干渉が抑えられる。そのため、フィルムバックにＶＯＣ放出量が大きい物質を用いる場合と比べ、より高精度でＶＯＣの分析を行うことができる。
【００１５】
［適用例４］上記適用例にかかる化学物質測定装置は、前記フッ素系樹脂は、ポリテトラフルオロエチレン、テトラフルオロエチレン−パーフルオロアルキルビニルエーテル共重合体、テトラフルオロエチレン−ヘキサフルオロプロピレン共重合体、テトラフルオロエチレン−エチレン共重合体、ポリクロロトリフルオロエチレン、クロロトリフルオロエチレン−エチレン共重合体、ポリビニリデンフルオライド及びポリビニリデンフルオライドの少なくとも一種類を含むことを特徴とする。
【００１６】
この適用例によれば、上記したフッ素系樹脂は一般的なフッ素系樹脂や一般的なフッ素系ゴムと比べ、ＶＯＣの放出量がさらに小さく、チャンバー法による化学物質の測定に与える影響が抑えられる。そのため、チャンバー法による化学物質の測定をより高精度で行うことができる。また、フィルムバック状（薄膜）に加工された場合に上記したフッ素系樹脂は変形可能であり、この変形によりケーブルとの間隙を塞ぎ、高い気密性を保持することが可能となる。
【００１７】
［適用例５］上記適用例にかかる化学物質測定装置は、前記フッ素系ゴムは、フッ化ビニリデンゴム、四フッ化エチレン−プロピレンゴム、四フッ化エチレン−パーフルオロメチルビニルエーテルゴムの少なくとも一種類を含むことを特徴とする。
【００１８】
この適用例によれば、上記したフッ素系ゴムは一般的なフッ素系ゴムと比べＶＯＣの放出量が小さく、チャンバー法による化学物質の測定に与える影響が抑えられる。そのためチャンバー法による化学物質の測定をより高精度で行うことができる。また、フッ素系樹脂を用いた場合と比べ、変形量を大きくとることが可能であり、ケーブルの断面形状とフィルムバックの形状が異なり、間隙が生じた場合でも、この間隙を大きな変形量により塞ぐことが可能となり、高い気密性を保持することが可能となる。
【００１９】
［適用例６］上記適用例にかかる化学物質測定装置は、前記サポート支持部を構成する、又は被覆する物質は金属であることを特徴とする。
【００２０】
この適用例によれば、サポート支持部には金属を用いられる。金属はＶＯＣの放出が少なく、しかも堅牢なため、ケーブルとケーブルサポートとの間に掛かる圧力の均一性を向上させることができ、ケーブルとケーブルサポートとの間に掛かる圧力が不均一になることで生ずるケーブルとケーブルサポートとの間の気密性を向上させることができる。
【００２１】
［適用例７］上記適用例にかかる化学物質測定装置は、前記金属は、ステンレス、アルミニウム、銅、クロム、錫、亜鉛、金の少なくとも一種類が前記サポート支持部の表面に配置されることを特徴とする。
【００２２】
この適用例によれば、サポート支持部は上記した金属が用いられる。これらの金属は溶接、ろう付け、ハンダ付けによる加工が容易であり、ケーブルサポートに均一な応力がかけられるよう精密に加工することができ、ケーブルとケーブルサポートとの間の気密性をサポート支持部を用いない場合と比べ向上させることができる。
【発明を実施するための最良の形態】
【００２３】
（第１の実施形態）
＜ＶＯＣ測定システム＞
以下、化学物質測定装置について図面を用いて説明する。
図１は、化学物質測定チャンバー１０１を用いてＶＯＣを測定するための化学物質測定装置１００のシステム概略図であり、化学物質測定チャンバー１０１、換気装置１０９、加湿器１０７、電気機器１０２、開閉部１１１、テーブル１１４、捕集管１０４、ポンプ１１３、ケーブル１０６、ケーブル通過孔１１０、ケーブルサポート１０８、差込プラグ１０３、コンセント１０５と、を含む。
【００２４】
化学物質測定チャンバー１０１は、ＶＯＣ測定の測定結果に与える影響が抑えられるよう、外気の侵入を抑えるべく機密性が保たれていることが好ましい。化学物質測定チャンバー１０１の内壁面に用いる材料としては、強度があり、ガス透過性が低く、検出・測定の対象であるＶＯＣ測定結果に与える影響が抑えられえる材質を用いられることが好ましい。さらに、掃除などによって化学物質測定チャンバー１０１の内壁面を容易に清浄な状態に保ち得るよう、内壁面には継ぎ目がないことが好ましい。
【００２５】
このような条件を満たすものとしては、金属が好ましく、特にステンレスを用いることが好ましい。ステンレスは溶接性に優れ、化学薬品に対して耐食性が高く、また鏡面仕上げすることで凹凸の少ないものに仕上げることができる。そのため、揮発したＶＯＣを吸着しにくく、付着した汚れも掃除で容易に除去し易いといった特徴があり、さらに経済性にも優れることから化学物質測定チャンバー１０１の壁面に用いる材料として好ましい。
【００２６】
また、ステンレスに代えてアルミニウムやブリキなどを用いても良い。さらには、これらの組合せを用いても良い。また、溶接に代えてハンダやろう材を用いて継ぎ目を封止しても良い。また、ＶＯＣの発生量が少ないフッ素系ゴムを用いて化学物質測定チャンバー１０１の気密性を保っても良く、特にフッ化ビニリデンゴム、四フッ化エチレン−プロピレンゴム、四フッ化エチレン−パーフルオロメチルビニルエーテルゴムを用いることで化学物質測定チャンバー１０１内でのＶＯＣ発生が抑制された状態で気密性を確保することができる。また、化学物質測定チャンバー１０１内の雰囲気を均一な状態に保つためにファン（図示せず）を用いて雰囲気を循環させるようにすることも好ましい。
【００２７】
化学物質測定チャンバー１０１は、温度制御チャンバー（図示せず）に囲われるよう配置されている。そして、温度制御チャンバーから化学物質測定チャンバー１０１の壁面を通して熱伝導させることで、化学物質測定チャンバー１０１内の温度を一定に保つよう制御されている。
【００２８】
換気装置１０９は、化学物質測定チャンバー１０１の雰囲気を制御すべくＶＯＣ、水分、粉塵などを除去した清浄空気の導入及び排出を制御している。換気量は、化学物質測定チャンバー１０１内の雰囲気が１時間あたり０．５〜５回程度入れ替わるように設定されている。
【００２９】
加湿器１０７は、化学物質測定チャンバー１０１内の湿度を一定に保つよう湿度調整を行っている。換気装置１０９は乾燥した清浄空気を導入するため、一定の湿度を保つためには加湿することが必要となる。加湿器１０７により、化学物質測定チャンバー１０１内の湿度は０〜７０％程度の間で一定値に制御される。
【００３０】
化学物質測定チャンバー１０１内には、電気機器１０２が配置される。電気機器１０２が発生するＶＯＣは化学物質測定チャンバー１０１内に閉じ込められ、捕集管１０４により吸着処理が行われる。
【００３１】
開閉部１１１は、電気機器１０２を化学物質測定チャンバー１０１に収容する、又は化学物質測定チャンバー１０１から取り出すために配置されている。開閉部１１１の構造としては、電気機器１０２の収容・取り出しができれば、大きさ、形状など、特に限定されない。また、開閉部１１１を気密状態に保つためにＶＯＣの発生量が少ないフッ素系ゴムを用いて開閉部１１１の気密性を保っても良い。特にフッ化ビニリデンゴム、四フッ化エチレン−プロピレンゴム、四フッ化エチレン−パーフルオロメチルビニルエーテルゴムを用いることで化学物質測定チャンバー１０１内でのＶＯＣ発生が抑制された状態で開閉部１１１の気密性を確保することができる。
【００３２】
テーブル１１４は、化学物質測定チャンバー１０１内に配置され、テーブル１１４上に電気機器１０２が配置される。テーブル１１４上に電気機器１０２を配置することで、直接化学物質測定チャンバー１０１の床に電気機器１０２を配置する場合と比べ、化学物質測定チャンバー１０１に収容する作業、及び取り出す作業が容易になる。また、化学物質測定チャンバー１０１の床近傍に堆積される、細かい埃などが電気機器１０２へ付着する現象を抑制することができる。
【００３３】
電気機器１０２から発生し、化学物質測定チャンバー１０１内に閉じ込められるＶＯＣを捕集するために捕集管１０４が配置されている。捕集管１０４は例えば、カルボニル系のＶＯＣについてはＤＮＰＨ（２，４−Ｄｉｎｉｔｒｏｐｈｅｎｙｌｈｙｄｒａｚｉｎｅをシリカゲルにコーティングしたもの）を用い、他のＶＯＣについてはＴｅｎａｘ（２，６−Ｄｉｐｈｅｎｙｌ−ｐ−Ｐｈｅｎｙｌｅｎｅ  Ｏｘｉｄｅ）を用いることでＶＯＣを効率的に吸着することを可能としている。捕集管１０４はポンプ１１３により、捕集管１０４中に化学物質測定チャンバー１０１内の雰囲気を通過させ、捕集している。捕集管１０４により捕集されたＶＯＣは、典型的にはＧＣ−ＭＳ（ガスクロマトグラフィー質量分析法）により分析される。
【００３４】
ポンプ１１３は、捕集管１０４中に化学物質測定チャンバー１０１内の雰囲気を通過させ、捕集管１０４中にＶＯＣの吸着を行う。具体的には、化学物質測定チャンバー１０１内の雰囲気を吸引するよう動作させる。ここで、捕集管１０４とポンプ１１３とは、ＶＯＣの捕集装置として機能する。
【００３５】
ケーブル１０６は、電気機器１０２に電力や信号を供給し、電気機器１０２が化学物質測定チャンバー１０１内で動作できるよう電気機器１０２と後述するコンセント１０５とを電気的に接続させている。
【００３６】
ケーブル通過孔１１０は、化学物質測定チャンバー１０１外から電気機器１０２に電力や信号を供給させるべく、ケーブル１０６を通して化学物質測定チャンバー１０１の内部と外部を電気的に接続するよう配置されている。
【００３７】
ケーブルサポート１０８は、化学物質測定チャンバー１０１外部の雰囲気と内部の雰囲気とを分離すべく、ケーブル１０６とケーブル通過孔１１０との間隙を封止するよう配置されている。なお、ケーブルサポート１０８の詳細については後述する。
【００３８】
差込プラグ１０３は、ケーブル１０６を通して電気機器１０２に電力を供給すべく配置されている。
【００３９】
コンセント１０５は、差込プラグ１０３に電力や信号を供給するため化学物質測定チャンバー１０１外に配置されており、差込プラグ１０３とケーブル１０６を介して電気機器１０２と接続されている。
【００４０】
＜ケーブルサポート＞
次に、図１に示したケーブルサポート１０８について詳細に説明する。図２（ａ）はケーブルサポート１０８の構造を説明するための三面図、（ｂ）は、ケーブルサポート１０８の断面図、（ｃ）はケーブルサポート１０８でケーブル１０６を挟んだ状態を示す側面図である。図２（ａ）に示すように、ケーブルサポート１０８はテーパー状の形状を有しており、ケーブル通過孔１１０（図１参照）に押し付けることでケーブル通過孔１１０とケーブル１０６（図１参照）との間に生じる間隙を充填することができる。ここで、ケーブルサポート１０８をケーブル１０６に通す方向と垂直方向の断面形状として円錐形状に限定される必要はない。例えば、楕円や角錐形状を採用しても良い。また、錘状形状を有することは必須条件ではなく、円柱、楕円柱、角柱などの構造を用いても良い。
【００４１】
そして、図２（ｂ）に示すように、ケーブルサポート１０８は、例えばテトラフルオロエチレン−パーフルオロアルキルビニルエーテル共重合体（以下ＰＦＡと記載する）を用いてなる中空状のフィルムバック１１の内部に、ジェル状物質により構成される変形体１２を含む構造を有している。変形体１２にはフィルムバック１１を腐食しない物質を用いることが好適であり、例えばジェル状のＰＶＡ（ポリビニルアルコール）を用いることができる。ケーブルサポート１０８は典型的には２つ１組で形成されている。
【００４２】
ケーブルサポート１０８はこの場合、図２（ｃ）に示すようにケーブル１０６を挟むように配置される。ここでケーブルサポート１０８は２つ１組で構成されるよう限定されることはなく、例えば３分割以上に分割して配置されるよう構成しても良い。また、例えば図１に示すケーブル１０６と接続されている差込プラグ１０３が着脱可能である場合には、差込プラグ１０３を外し、ケーブルサポート１０８中にケーブル１０６を貫通させることで、ケーブルサポート１０８を分割せず一体化した構造を用いることも可能である。
【００４３】
図２（ｂ）に示すように、フィルムバック１１は薄膜状に加工されており、ＰＦＡを用いた場合、甚だ屈曲性に富んだ特性を示すため応力の印加により容易に変形させることが可能となる。例えば２分割したケーブルサポート１０８で挟むようにケーブル１０６を配置し、ケーブル通過孔１１０（図１参照）に差し込むことでケーブル通過孔１１０とケーブル１０６（図２（ｃ）参照）との間隙はケーブルサポート１０８により封止される。
【００４４】
次にケーブルサポート１０８を製造する工程についての一例を図面を用いて説明する。図３（ａ），（ｃ），（ｅ）はケーブルサポート１０８の工程側面図、（ｂ），（ｄ），（ｆ）はケーブルサポート１０８の工程断面図である。フィルムバック１１を構成する材料としてＰＦＡを用いてケーブルサポート１０８を製造する場合には、まず図３（ａ），（ｂ）に示すように、ブロー法などを用いて肉厚が３〜５ｍｍ程度の中空状のフィルムバック１１を製造する。
【００４５】
次に、図３（ｃ），（ｄ）に示すように、フィルムバック１１の、化学物質測定チャンバー１０１（図１参照）外の雰囲気に接する領域の一部を開口した注入口１１５を形成し、変形体１２を充填する。
【００４６】
次に、図３（ｅ），（ｆ）に示すように、封止剤による封止を可能とするよう、注入口１１５近傍のフィルムバック１１の表面を改質する。そして、ＰＦＡ表面を改質した後アラルダイト（登録商標）などの封止材１１６を用いて封入することでケーブルサポート１０８を形成することができる。
【００４７】
ここで、テフロン（登録商標）テープをケーブル１０６（図１参照）に巻き、ケーブル通過孔１１０（図１参照）とケーブル１０６との間に生じる間隙を封止する構成を有する密閉方法との比較を行う。ここでは、テープを巻かずにケーブルサポート１０８の持つ変形能を用いて封止するため、ケーブル１０６とケーブル通過孔１１０との間に生じる間隙を再現性良く封止することができる。また、ＰＦＡは摩擦係数が小さく、ケーブル１０６をスライドさせることが可能である。そのため、測定準備及び測定に対して電気機器１０２の配置を容易に変更することができる。
【００４８】
また、ケーブル形状の若干の違いはフッ素系樹脂の変形により吸収することができるため、１つのケーブルサポートで複数の径を有するケーブルに対応させることが可能となる。これによって、少ない種類のケーブルサポートで多様なケーブルの種類に対応させることができ、汎用性に優れたケーブルサポートを提供することが可能となる。また、高額なフッ素系樹脂を用いるケーブルサポートの種類を少なく抑えることで、チャンバー法を行う場合に必要となる設備投資を低減することが可能となる。
【００４９】
ＰＦＡは、常温ではいかなる酸や塩基に対しても反応せず、また脱ガスを発生させることがないため汚染された場合でも洗浄は容易であり、清浄な状態を保つことができる。
また、ケーブルサポート１０８を加熱処理することで脱ガスすることができる。この際に、フィルムバック１１にＰＦＡを用いた場合、２６０℃に加熱して脱ガス処理を行うことが可能となる。ＶＯＣ測定で検出すべき物質は沸点の上限が２６０℃なので、フィルムバック１１にＶＯＣ測定で干渉するガスが吸着された場合でも、効率的にＶＯＣを除去することができる。
【００５０】
また、フィルムバック１１を構成する物質としては、ＰＦＡ（テトラフルオロエチレン−パーフルオロアルキルビニルエーテル共重合体）に代えてポリテトラフルオロエチレン(以下ＰＴＦＥと記載する）、テトラフルオロエチレン−ヘキサフルオロプロピレン共重合体、テトラフルオロエチレン−エチレン共重合体、ポリクロロトリフルオロエチレン、クロロトリフルオロエチレン−エチレン共重合体、ポリビニリデンフルオライド及びポリビニリデンフルオライド、フッ化ビニリデンゴム、四フッ化エチレン−プロピレンゴム、四フッ化エチレン−パーフルオロメチルビニルエーテルゴムを用いることも好適である。また、脱ガスや気体成分の透過が抑えられ、かつフィルムバック１１として薄膜に加工した状態で変形可能な物質であれば上記した物質以外のものを用いても良い。また、フィルムバック１１に複層構造を用いることも好適である。
【００５１】
特に、ＰＴＦＥは脱ガスが少なく好適な物質であるが、ＰＴＦＥはブロー法などで中空構造を形成することが困難である。ここで、例えばステンレスを用い、肉厚を１ｍｍ以下程度に抑えて中空構造を形成した後、ＰＴＦＥをコートすることで化学的に極めて安定性の高いＰＴＦＥを最外部に有するケーブルサポート１０８を提供することが可能となる。また、同様にステンレス製の下地にＰＴＦＥに代えて例えば上記した脱ガスが少ない物質をコートすることも好ましい。また、ステンレスそのものが脱ガスの少ない素材であるため、ＰＴＦＥなどをコートせず、フィルムバック１１としてステンレスの薄肉構造を用いても良い。また、肉厚を薄くすることで変形可能となるガラスなどの素材を用いても良い。
【００５２】
変形体１２としては、ジェル状物質に代えて、応力に対して変形可能なゴム、スポンジ状の物質、液体、気体（大気を含む）などを用いても良い。この場合、変形体１２としては、フィルムバック１１を腐食しない物質を選択することが好ましい。ここで、変形体１２としてフィルムバック１１を腐食する物質を用いた場合でも、変形体１２がフィルムバック１１を腐食しフィルムバック１１が破損するまでの期間については使用可能であり、変形体１２に若干の腐食性がある場合でも実用上問題なく使用することが可能である。
【００５３】
また、ここでは電力を供給するためのケーブル１０６について説明しているが、これは電力を供給するケーブル以外のもの、例えば外部から別途制御を行う信号線を引き込むためのケーブルに対しても同様に扱うことができる。
【００５４】
＜ケーブルサポートの変形例＞
以上、図２に示すように、ケーブルサポート１０８を直接ケーブル通過孔１１０（図１参照）に挿入する例について説明したが、ケーブルサポート１０８に対しては、別の構成を用いて対応することができる。図４（ａ）は、サポート器具４００の斜視図、（ｂ）は、ケーブルサポート１７の断面図、（ｃ）は、サポート器具４００を用いてケーブル１０６が保持されている状態を示す斜視図である。サポート器具４００は、ケーブルサポート１７とサポート支持部１３を含む。
【００５５】
図４（ｂ）に示すように、ケーブルサポート１７は、ケーブルサポート１０８と同様に、フィルムバック１１中に変形体１２が配置される構造を有している。サポート支持部１３は、例えばステンレスで構成されている。この構成を用いる場合、ケーブルサポート１７にはサポート支持部１３を介して応力が伝えられる。図４（ａ）は、ケーブルサポート１７をサポート支持部１３に装着する工程を示す模式図である。
【００５６】
そして、図４（ｃ）に示すようにケーブル１０６を挟む場合に、応力はサポート支持部１３を用いない場合と比べ高い均一性を持って伝達される。そのため、ケーブル１０６とケーブルサポート１７との間を高い気密性を持って封止することができる。
【００５７】
図５は、ケーブル通過孔４１０と、サポート器具４００とを勘合させる構成を示す断面図である。この場合、サポート器具４００の外周部はサポート支持部１３（図４（ａ）参照）により一定の形状をなすため、化学物質測定チャンバー１０１の一部分に設けられているケーブル通過孔４１０とサポート器具４００の寸法を揃えることができる。そのため、高い機密性を持ってケーブル通過孔４１０とサポート器具４００を勘合することができる。サポート器具４００は、固定装置４２０によって固定され、ケーブル１０６を貫通させている。また、フッ化ビニリデンゴム、四フッ化エチレン−プロピレンゴム、四フッ化エチレン−パーフルオロメチルビニルエーテルゴムなどを用いたＯリングを介して機密性を保つことも好適である。
【００５８】
また、図６に示すようにサポート器具４００の外周部に錘状形状を与え、ケーブル通過孔４１０と勘合させるようにしても良い。
【００５９】
＜測定方法＞
次に、ＶＯＣの測定方法について説明する。図７に示す捕集管１０４に充填される捕集材１１２として例えば、カルボニル系のＶＯＣに対してはＤＮＰＨを用い、他のＶＯＣに対してはＴｅｎａｘを用いることでＶＯＣを効率的に吸着することを可能としている。捕集管１０４はポンプ１１３（図１参照）により、捕集管１０４中に化学物質測定チャンバー１０１（図１参照）内の雰囲気を通過させ、捕集している。
【００６０】
捕集材１１２としてＴｅｎａｘを用いる場合には、捕集処理を行った後、捕集材１１２を含む捕集管１０４にヘリウムなどの不活性ガスを通過させながら急加熱することで捕集材１１２からＶＯＣをガス状に脱離させる。そして、例えばＧＣ−ＭＳ法によりガススペクトル分析を行うことで、主たるＶＯＣの分析を行うことができる。
【００６１】
また、ＶＯＣの種類（例えばカルボニル系物質）によっては上述した分析法に代えて、液体クロマトグラフ法を用いることでより良好な分析を行うことができる。液体クロマトグラフ法を用いる場合には、捕集材１１２としてＤＮＰＨを用いる場合に好適である。
【００６２】
この場合でも同様に、捕集材１１２としてＤＮＰＨを含む捕集管１０４を用い、ポンプ１１３により、捕集管１０４中に化学物質測定チャンバー１０１内の雰囲気を通過させることで図７に示すＤＮＰＨを含む捕集材１１２内にカルボニル系物質を捕集することができる。捕集した後、例えばメタノールやアセトニトリルを用いてＶＯＣとしてのカルボニル系物質を溶出させ液状の分析用試料を形成した後、液体クロマトグラフ法により液体スペクトル分析を行うことで、カルボニル系物質を含むＶＯＣの分析を行うことができる。
【図面の簡単な説明】
【００６３】
【図１】ＶＯＣを測定するための化学物質測定装置のシステム概略図。
【図２】（ａ）はケーブルサポートの構造を説明するための三面図、（ｂ）はケーブルサポートの断面図、（ｃ）はケーブルサポートでケーブルを挟んだ状態を示す側面図。
【図３】（ａ），（ｃ），（ｅ）はケーブルサポートの工程側面図、（ｂ），（ｄ），（ｆ）はケーブルサポートの工程断面図。
【図４】（ａ）は、サポート器具の斜視図、（ｂ）は、ケーブルサポートの断面図、（ｃ）は、サポート器具を用いてケーブルが保持されている状態を示す斜視図。
【図５】ケーブル通過孔と、サポート器具とを勘合させる構成を示す断面図。
【図６】錘状形状を有するサポー器具とケーブル通過孔とを勘合させる構成を示す断面図。
【図７】捕集材を充填した捕集管の斜視図。
【符号の説明】
【００６４】
１１…フィルムバック、１２…変形体、１３…サポート支持部、１７…ケーブルサポート、１００…化学物質測定装置、１０１…化学物質測定チャンバー、１０２…電気機器、１０３…差込プラグ、１０４…捕集管、１０５…コンセント、１０６…ケーブル、１０７…加湿器、１０８…ケーブルサポート、１０９…換気装置、１１０…ケーブル通過孔、１１１…開閉部、１１２…捕集材、１１３…ポンプ、１１４…テーブル、１１５…注入口、１１６…封止材、４００…サポート器具、４１０…ケーブル通過孔、４２０…固定装置。
【図１】
2008309500.tif 000003
【図２】
2008309500.tif 000004
【図３】
2008309500.tif 000005
【図４】
2008309500.tif 000006
【図５】
2008309500.tif 000007
【図６】
2008309500.tif 000008
【図７】
2008309500.tif 000009